(57)【要約】【課題】機器収納ラック内で配線された機器の複数のケーブルの取り回しを個々に案内し確実に固定できるケーブルガイドを提供する。【解決手段】このケーブルガイドCGは、サーバラック11の対向する複数の支柱12，12間に架装基体13を架設し、この架装基体13にケーブル案内体14を取り付ける。このケーブル案内体14は、ブレードサーバ10に接続されたケーブル10a，10bを架装基体13に沿って案内する複数の案内爪を有する。上記架装基体13からブレードサーバ10に沿って上記架装基体13に対し交差する方向へ取付板21を設け、この取付板21に取り付けた複数の拘束材22により、複数のケーブル10a，10bを個々に拘束する。【選択図】図１
2016039270.tif 000002
【特許請求の範囲】
【請求項１】
機器収納ラックの対向する側部間に架設される架装基体と、
この架装基体に設けられ、機器に接続されたケーブルを架装基体に沿って案内する複数の案内爪を有するケーブル案内体と、
上記架装基体から機器に沿って上記架装基体に対し交差する方向へ設けられた取付板と、
この取付板に取り付けられ、複数のケーブルを個々に拘束する複数の拘束材と
を具備したことを特徴とするケーブルガイド。
【請求項２】
ケーブル案内体は、複数の案内爪を架装基体に沿って上下方向から交互にケーブル挿入用の間隙を介し配置した
ことを特徴とする請求項１記載のケーブルガイド。
【請求項３】
架装基体は、全長にわたって複数条の溝を有し、
これらの溝にケーブル案内体および取付板がそれぞれ移動可能かつ着脱可能に嵌合された
ことを特徴とする請求項１または２記載のケーブルガイド。
【発明の詳細な説明】
【技術分野】
【０００１】
本発明は、機器収納ラック内の機器に接続された複数のケーブルの取り回しを案内するケーブルガイドに関する。
【背景技術】
【０００２】
サーバなどの機器を収納するサーバラック内の配線において、一般的には輪にして結束したケーブルをサーバ筐体の上面に置いたり、サーバラックの支柱フックに掛けるようにしているが、ケーブルの取り回しを案内するケーブルガイドがないと、ケーブルの配線が乱雑になり、ケーブルの取り回しが煩雑になる。
【０００３】
特に、複数のブレードを筐体内に高密度に搭載したブレードサーバにあっては、複数のブレードが共用する放熱ファンの排気口正面を経てケーブルを配線しなければならない場合があり、その場合は、放熱ファンからの排気によってケーブルが安定せず、最初に整然と配線しても時間とともに崩れてしまい、乱雑な配線状態となるおそれがある。
【０００４】
このような乱雑な配線状態は、故障の原因になるとともに、機器のメンテナンス時に、パーツと干渉してケーブルを巻き込んだり、ファイバケーブルを折ってしまうおそれがあり、メンテナンス作業の障害となる。
【０００５】
これに対して、サーバラックなどの横架材に取り付けられてケーブルを保持する配線保持装置がある（例えば、特許文献１参照）。
【０００６】
この配線保持装置は、横方向に延びるケーブルを保持してその落下を防止する落下防止部と、縦方向に延びるケーブルを保持してその横方向及び前記横架材から離間する方向への移動を規制する横ぶれ防止部と、この配線保持装置を前記横架材に取り付けるための取付部とを具備し、この取付部が横架材の長手方向に沿って位置変更可能に取り付けられている。
【先行技術文献】
【特許文献】
【０００７】
【特許文献１】特開２００１−１０４０７２号公報
【発明の概要】
【発明が解決しようとする課題】
【０００８】
上記配線保持装置は、横架材に沿って、または横架材と交差する位置でケーブルを保持するので、このような配線保持装置をブレードサーバに適用しても、横架材と横架材との間に位置する放熱ファンの排気口正面ではケーブルを固定できず、放熱ファンからの排気によってケーブルが安定しない。
【０００９】
本発明は、このような点に鑑みなされたもので、機器収納ラック内で配線された機器の複数のケーブルの取り回しを個々に案内し確実に固定できるケーブルガイドを提供することを目的とする。
【課題を解決するための手段】
【００１０】
請求項１に記載された発明は、機器収納ラックの対向する側部間に架設される架装基体と、この架装基体に設けられ、機器に接続されたケーブルを架装基体に沿って案内する複数の案内爪を有するケーブル案内体と、上記架装基体から機器に沿って上記架装基体に対し交差する方向へ設けられた取付板と、この取付板に取り付けられ、複数のケーブルを個々に拘束する複数の拘束材とを具備したケーブルガイドである。
【００１１】
請求項２に記載された発明は、請求項１記載のケーブルガイドにおけるケーブル案内体が、複数の案内爪を架装基体に沿って上下方向から交互にケーブル挿入用の間隙を介し配置したものである。
【００１２】
請求項３に記載された発明は、請求項１または２記載のケーブルガイドにおける架装基体が、全長にわたって複数条の溝を有し、これらの溝にケーブル案内体および取付板がそれぞれ移動可能かつ着脱可能に嵌合されたものである。
【発明の効果】
【００１３】
請求項１記載の発明によれば、機器収納ラックの対向する側部間に架設される架装基体にケーブル案内体を設け、上記架装基体から機器に沿って上記架装基体に対し交差する方向へ取付板を設け、この取付板に取り付けられた複数の拘束材により複数のケーブルを個々に拘束するとともに、これらのケーブルをケーブル案内体の複数の案内爪により架装基体に沿って案内するようにしたので、例えば放熱ファンからの排気位置でも個々のケーブルを対応する拘束材により動かないように拘束しつつ、複数のケーブルの束をケーブル案内体により整然と配線することができ、機器収納ラック内で配線された機器の複数のケーブルの取り回しを個々に案内しつつ確実に固定でき、放熱ファンからの排気などによってケーブルが乱雑になることを防止できる。
【００１４】
請求項２記載の発明によれば、ケーブル案内体は複数の案内爪を架装基体に沿って上下方向から交互にケーブル挿入用の間隙を介し配置したので、これらの間隙からケーブルの任意の箇所をケーブル案内体内に挿入できるので配線作業を容易にできるとともに、上方へ浮き上がったケーブルも上方の案内爪によって規制できるので、ケーブル案内体から脱落するおそれを防止できる。
【００１５】
請求項３記載の発明によれば、架装基体の複数条の溝にケーブル案内体および取付板がそれぞれ移動可能かつ着脱可能に嵌合されたので、ケーブル案内体および取付板を移動調整し、対応する拘束材を選択することで、最適なケーブル拘束位置およびケーブル案内位置が得られるとともに、メンテナンス時にはケーブル案内体および取付板を各溝から取外可能であるので、メンテナンス作業を容易に行なえるとともに、万一のパーツ故障が生じてもパーツ交換を行なうことができる。
【図面の簡単な説明】
【００１６】
【図１】本発明に係るケーブルガイドの一実施の形態を示す斜視図である。
【図２】同上ケーブルガイドの一部を拡大した斜視図である。
【図３】同上ケーブルガイドの平面図である。
【図４】同上ケーブルガイドの正面図である。
【図５】同上ケーブルガイドの側面図である。
【図６】図４のＶＩ−ＶＩ線断面図である。
【図７】サーバラック内の可動式ラックを示す背面図である。
【図８】同上可動式ラックの斜視図である。
【図９】同上可動式ラックの使用例を示す斜視図である。
【発明を実施するための形態】
【００１７】
以下、本発明を、図１乃至図９に示された一実施の形態に基いて詳細に説明する。
【００１８】
先ず、図１乃至図６に示されたケーブルガイドCGの構成を説明する。
【００１９】
図１には、機器としてのブレードサーバ10が機器収納ラックとしてのサーバラック11内に収納された状態が示されている。このサーバラック11は、メンテナンス用の扉11aが開閉自在に設けられた開口11bを有し、この開口11b側で相互に対向する側部としての左右の支柱12，12間にケーブルガイドCGが取り付けられている。
【００２０】
このケーブルガイドCGは、上記支柱12，12間に長尺の架装基体13が架設され、この架装基体13に沿って複数（図示実施の形態では４組）のケーブル案内体14が連続的に設けられている。
【００２１】
これらのケーブル案内体14は、図２乃至図４に示されるように架装基体13に沿って取り付けられた本体部15と、この本体部15に沿って本体部15の上下部に一体に成形され、ケーブルを案内する複数の案内爪16，17とを備えた樹脂成形品である。
【００２２】
これらの上下部の案内爪16，17は、図６に示されるように本体部15に対して逆Ｕ字状およびＵ字状に形成され、これらの案内爪16，17によりブレードサーバ10に接続されたケーブル10a，10bを架装基体13に沿って案内し、外れないように保持する。
【００２３】
これらの案内爪16，17は、図２および図４に示されるように間隔を開けて交互に配置され、相互に先端部が上下方向から相手の間隔と対向するように設けられ、さらに、各案内爪16と各案内爪17との間には、ケーブル挿入用の間隙18が設けられている。
【００２４】
図１および図２には、ブレードサーバ10の背面に設けられた放熱ファン19が示されている。
【００２５】
上記架装基体13には、この架装基体13からブレードサーバ10のケーブル接続面に沿ってこの架装基体13に対し交差する方向すなわち下方へ突出するように複数の取付板21が装着され、これらの取付板21の上下方向に、複数のケーブル10a，10bを個々に拘束する複数の拘束材22がそれぞれ配置され、取り付けられている。
【００２６】
各取付板21は、図６に示されるように各取付板21の基部としてのコ字形基部23の下側に長尺の平板部24がそれぞれ一体に形成された金属製品であり、これらの平板部24は、その平板幅方向の一側部と他側部とに上下方向のずれを介して穿設された多数の拘束材取付穴を備えている。
【００２７】
各拘束材22は、図２および図４に示されるように、平板部24の拘束材取付穴にそれぞれ挿入される挿入突部22aと、これらの挿入突部22aに一体成形されて拘束材取付穴にそれぞれ嵌着される嵌着部22bと、これらの嵌着部22bから対称形のＳ状および逆Ｓ状に一体成形されて図２に示されるように相互に絡み付く絡付部22cと、これらの絡付部22cの先端に一体成形されて図２に示されるように相互に係合する球部22dとを備えた樹脂製品である。
【００２８】
図６に示されるように、架装基体13は、例えばアルミ製角材の４面にそれぞれ全長にわたってＴ形断面の溝13a，13b，13c，13dが押出加工または引抜加工により連続的に形成されたレール状材であり、それらの１つの溝13aに、複数のケーブル案内体14の本体部15に一体成形されたフック形状の係合子26，27がそれぞれ移動可能かつレール状材端から着脱可能に嵌合されているとともに、上下の溝13b，13cに、各取付板21のコ字形基部23がそれぞれ移動可能かつレール状材端から着脱可能に嵌合されている。
【００２９】
すなわち、各取付板21のコ字形基部23の上部下面にはスライダ28が複数のネジ28aによりそれぞれ取り付けられ、これらの各スライダ28は、架装基体13の上面の溝13bに摺動自在に嵌合する摺動子28bをそれぞれ有する。また、コ字形基部23の下部下面にはスプリングプランジャ29がそれぞれ取り付けられている。
【００３０】
各スプリングプランジャ29は、コ字形基部23の下部を挟んで固定ナット31と螺合することでコ字形基部23の下部に固定されたプランジャ本体29aをそれぞれ有し、これらのプランジャ本体29aに内蔵されたスプリング（図示せず）により、架装基体13の下面の溝13cに摺動自在に嵌合する係止ナット32を上方へ付勢し、相対的にプランジャ本体29aおよびコ字形基部23を下方へ付勢している。
【００３１】
これにより、各スライダ28の摺動子28bを下方へ付勢し、係止ナット32と摺動子28bとで架装基体13を挟圧することで、各取付板21のスライド調整位置を保っている。
【００３２】
各取付板21の位置をスライド調整するときは、プランジャ本体29aの下側に配置された摘み33をスプリング付勢力に抗して引き下げることで、この摘み33と図示しない軸により連結された係止ナット32の付勢力を解除する。
【００３３】
図６に示されるように、架装基体13の他の溝13dには、架装基体13の左右端部にてナット34がそれぞれ嵌着され、これらのナット34と螺合する６角穴付ボルト35により、図３に示されるように架装基体13の左右端部に位置するブラケット36がそれぞれ固定され、これらのブラケット36に６角穴付ボルト37によりＬ形金具38がそれぞれ取り付けられ、これらのＬ形金具38に６角穴付ボルト39によりマウント金具40がそれぞれ取り付けられ、これらのマウント金具40が支柱12に取り付けられている。
【００３４】
これらのマウント金具40には、図４に示されるように左右部の支柱12の全長にわたって設けられた多数の取付穴41のうち任意の取付穴を選択して係合する複数の係合爪42がそれぞれ設けられている。
【００３５】
次に、図１乃至図６に示された実施の形態の作用効果を説明する。
【００３６】
図４に示されるように、マウント金具40の係合爪42を、左右部の支柱12の取付穴41のうちから選択された任意の取付穴に係合するのみで、架装基体13を任意の高さで左右部の支柱12，12間に簡単に装着できる。
【００３７】
この架装基体13には、複数のケーブル案内体14が取り付けられ、かつ、取付板21を介して多数の拘束材22が取り付けられているので、図２に示されるように、ブレードサーバ10に接続されたケーブル10a，10bを最も近い位置にある拘束材22の２つの絡付部22c，22c間に挟んで、これらの絡付部22c，22cを捻り、球部22d，22dどうしを係合させることで、拘束材22は、ケーブル10a，10bに絡み付いた状態を保ちながらケーブル10a，10bをその位置に拘束する。
【００３８】
さらに、図２に示されるように、これらのケーブル10a，10bをケーブル案内体14の上下の案内爪16，17間の間隙18を経てケーブル案内体14の内部に差し込み、ケーブル10aは、同様にしてケーブル案内体14内に差し込まれた他のケーブル10aとともに、図１に示されるように複数のケーブル案内体14により一側の支柱12側へ導き、束ねたケーブル10aをこの支柱12に沿って配設する。
【００３９】
このように、サーバラック11の複数の支柱12，12間に架設される長尺の架装基体13にケーブル案内体14を取り付け、上記架装基体13からブレードサーバ10のケーブル接続面に沿って上記架装基体13に対し交差する方向へ取付板21を突出させ、この取付板21に取り付けられた複数の拘束材22により、ブレードサーバ10の複数のケーブル10a，10bを個々に拘束するとともに、これらのケーブル10a，10bをケーブル案内体14の複数の案内爪16，17間の間隙18からケーブル案内体14内に配線するようにしたので、例えば放熱ファン19からの排気位置でも個々のケーブル10a，10bを対応する拘束材22により動かないように拘束しつつ、複数のケーブル10aの束をケーブル案内体14によって整然と配線することができ、サーバラック11内で配線されたブレードサーバ10の各ケーブル10a，10bの取り回しを個々に案内しつつ確実に固定でき、放熱ファン19からの排気などによってケーブル10a，10bが乱雑になることを防止でき、ブレードサーバ10の設置時に問題となる放熱ファン19周りの配線取り回し問題を解決できる。
【００４０】
そして、拘束材22およびケーブル案内体14を用いて多数のケーブル10aを整然と配線すると、その配線状態を永続的に維持できるので、乱雑な配線により発生する様々な障害の発生率を低下させることができ、例えばケーブルの焼損や光ファイバケーブルの折損などを防止できるとともに、機器のメンテナンス作業も容易になる。
【００４１】
また、ケーブル案内体14は、複数の案内爪16，17を架装基体13に沿って上下方向から交互にケーブル挿入用の間隙18を介し配置したので、これらの間隙18からケーブル10a，10bの任意の箇所をケーブル案内体14内に挿入でき、配線作業を容易にできるとともに、上方へ浮き上がったケーブル10bも上方の案内爪16によって規制できるので、このケーブル10bがケーブル案内体14内から外れて脱落するおそれを防止できる。
【００４２】
さらに、架装基体13の複数条の溝13a，13b，13cにケーブル案内体14の基部および取付板21の基部がそれぞれ移動可能かつ着脱可能に嵌合されたので、ケーブル案内体14および取付板21を移動調整し、対応する拘束材22を選択することで、最適なケーブル拘束位置およびケーブル保持位置が得られるとともに、架装基体13は、全長にわたってＴ形断面の溝13a，13b，13c，13dが形成されたレール状材であり、メンテナンス時にはケーブル案内体14および取付板21が溝13a，13b，13cに沿って可動式かつ取外可能であるので、メンテナンス作業を容易に行なえるとともに、万一のパーツ故障が生じても安心してパーツ交換を行なうことができる。架装基体13の長さに応じて、必要な個数のケーブル案内体14および取付板21を装着することもできる。
【００４３】
次に、図７乃至図９は、上記ケーブルガイドCGと同様にサーバラック11の内部に設置されるサーバ周辺機器用の可動式ラック50を示す。
【００４４】
従来は、回線終端装置などのサーバ周辺機器の置き場に困り、これらの機器を乱雑に積み重ねることが少なくないが、その場合、積み重ねられた機器が脱落したり熱的に故障の原因となるおそれがあるので、これらのおそれを防止するために、例えば図７に示されるように、ブレードサーバの上側において、サーバラック11の左右に位置する支柱12a，12a間にスチール製の可動式ラック50を架け渡して固定する。
【００４５】
この可動式ラック50は、図８に示されるように、底板51の左右部上にそれぞれ側板52が折り曲げ形成され、これらの左右の側板52の一端部に、サーバラック11の支柱12aにネジにより固定される複数の固定穴53がそれぞれ設けられている。
【００４６】
この可動式ラック50は、底板51に穿設された２列のスリット54を用いて複数の仕切板55がスライド可能かつ取り外し可能に固定されたものであり、各仕切板55の下部にそれぞれ折り曲げ形成されたスライド部56の一端が、これらのスライド部56および一方のスリット54を通した雄ネジ57およびこの雄ネジ57と螺合する雌ネジとにより固定され、また、スライド部56の他端から下方へ突出した折曲片（図示せず）が、図示されない他方のスリットにスライド自在に嵌入されている。
【００４７】
図８に示されるように仕切板55の前後端には、上下方向に細長いスリット状の固定用穴58が形成されている。この固定用穴58に挿通した結束バンドなどによりサーバ周辺機器のケーブルを固定し、地震発生時でのサーバ周辺機器の脱落を防止する。さらに、仕切板55が設置されていない底板51の余剰スペースに多数の固定穴59が穿設されているので、この固定穴59を利用して、図９に示されるように底板51の余剰スペースに設置した電源タップ61、ケーブル62などを固定し、配線を整理する。
【００４８】
図８に示されるように、底板51には左右部の腕部63を介してロッド64が取り付けられ、図７に示されるようにサーバ周辺機器65に接続されたケーブル66がこのロッド64上を通して下方へ引き出されるので、各ケーブル66を結束バンドなどによりロッド64に固定するとともに、ブレードサーバ10の放熱ファン19と各ケーブル66との間に距離を確保する。
【００４９】
このように構成された可動式ラック50は、図７に示されるようにサーバ周辺機器65を個々に独立させて縦に置くことで、サーバ周辺機器の乱雑な積み重ねによる故障を防止でき、また、サーバラック11内のスペースを効率的に利用でき、冷却性能も向上できる。
【００５０】
また、この可動式ラック50は、図８に示されるように底板51に穿設されたスリット54に沿って仕切板55を移動できるスライド式であるので、格納したい機器の大きさに合わせて仕切板55，55間の間隔を自由に変更でき、図９に示されるように縦置き型の機器65aと横置き型の機器65bとを混載することも可能である。横置き型の機器65bはスリット54に挿通したバンド67により固定する。
【００５１】
さらに、各サーバ周辺機器65のケーブル62，66を固定するなど、ケーブル62，66の整理整頓によりメンテナンス時の干渉を最小限にすることで、サーバ周辺機器65のリプレース時にも安心して作業を行なうことができる。
【産業上の利用可能性】
【００５２】
本発明は、ケーブルガイドCGの製造、販売などに携わる事業者にとって産業上の利用可能性がある。
【符号の説明】
【００５３】
CG    ケーブルガイド
10    機器としてのブレードサーバ
10a，10b    ケーブル
11    機器収納ラックとしてのサーバラック
12    側部としての支柱
13    架装基体
13a，13b，13c    溝
14    ケーブル案内体
16，17    案内爪
18    間隙
21    取付板
22    拘束材
【図１】
2016039270.tif 000003
【図２】
2016039270.tif 000004
【図３】
2016039270.tif 000005
【図４】
2016039270.tif 000006
【図５】
2016039270.tif 000007
【図６】
2016039270.tif 000008
【図７】
2016039270.tif 000009
【図８】
2016039270.tif 000010
【図９】
2016039270.tif 000011